【手続補正書】
【提出日】令和2年11月13日(2020.11.13)
【手続補正１】
【補正対象書類名】特許請求の範囲
【補正対象項目名】全文
【補正方法】変更
【補正の内容】
【特許請求の範囲】
【請求項１】
基準耳介の画像を撮像する段階と、
前記基準耳介の前記画像に基づいて、音が前記基準耳介においてどのように変換されるかの特徴を示す非線形伝達関数を決定する段階であって、前記非線形伝達関数を決定する段階は、前記基準耳介の前記画像と第１耳介の第１画像との間の一致の第１指標を決定する段階と、前記基準耳介の前記画像と第２耳介の第２画像との間の一致の第２指標を決定する段階であって、前記第１画像は第１頭部伝達関数（ＨＲＴＦ）と関連し、前記第２画像は第２ＨＲＴＦと関連し、および前記基準耳介、第１耳介、および第２耳介は、異なる個人に関連する、段階と、一致の前記第１指標に基づいて前記第１ＨＲＴＦを重み付ける段階と、一致の前記第２指標に基づいて前記第２ＨＲＴＦを重み付ける段階と、重み付けられた前記第１ＨＲＴＦおよび重み付けられた前記第２ＨＲＴＦを合成して、音が前記基準耳介においてどのように変換されるかの特徴を示す前記非線形伝達関数を決定する段階とを有する、段階と、
トランスデューサが、前記基準耳介を介した音の空間的位置特定を容易にするための１つまたは複数のオーディオキューを示す信号を出力する段階であって、前記１つまたは複数のオーディオキューは、前記非線形伝達関数に基づいている、出力する段階と
を備える方法。
【請求項２】
前記基準耳介の前記画像を撮像する段階は、近接センサが、モバイルデバイスと前記基準耳介との間の距離を決定する段階と、前記モバイルデバイスが前記基準耳介から所与の直線距離にあることを前記近接センサが示すとき、前記モバイルデバイスの画像センサが、前記基準耳介の前記画像を撮像する段階とを含む、請求項１に記載の方法。
【請求項３】
前記音が前記基準耳介においてどのように変換されるかの特徴を示す前記非線形伝達関数を決定する段階は、前記基準耳介の前記画像に基づいて前記基準耳介の１つまたは複数の特徴の特性を抽出する段階と、前記特性に基づいて前記非線形伝達関数を決定する段階とを含む、請求項１または２に記載の方法。
【請求項４】
前記基準耳介の前記画像を撮像する段階は、イヤカップ内の画像センサが前記基準耳介の前記画像を撮像する段階を含む、請求項１から３のいずれか一項に記載の方法。
【請求項５】
前記１つまたは複数のオーディオキューは、前記音の前記空間的位置特定と関連付けられる仰角、距離および速度のうちの１つまたは複数を示す、請求項１から４のいずれか一項に記載の方法。
【請求項６】
前記トランスデューサが１つまたは複数のオーディオキューを出力する段階は、前記非線形伝達関数で信号を変調して、前記音の空間的位置特定のための前記１つまたは複数のオーディオキューを定義する変調信号を生成する段階を含む、請求項１から５のいずれか一項に記載の方法。
【請求項７】
基準耳介の画像を撮像する段階は、モバイルデバイスによって、複数の向きにおける前記基準耳介の複数の画像を撮像する段階を含み、前記複数の向きにおける前記基準耳介の前記複数の画像は、少なくとも、前記基準耳介の特徴の間の相対距離と、前記基準耳介の特徴の深さとを示す、請求項１から６のいずれか一項に記載の方法。
【請求項８】
前記基準耳介の前記複数の画像を撮像する段階は、前記モバイルデバイスを動かして、または、頭を動かして、複数の異なる向きにおける前記基準耳介を撮像する段階を含む、請求項７に記載の方法。
【請求項９】
運動センサが前記モバイルデバイスの向きを受信する段階を更に備え、前記非線形伝達関数を決定する段階は、回転行列が前記モバイルデバイスの前記向きに基づいて前記基準耳介の前記複数の画像のうちの１つの画像を回転させる段階を含む、請求項７または８に記載の方法。
【請求項１０】
前記基準耳介の前記複数の画像は、前記基準耳介の複数の外形を含む、請求項７から９のいずれか一項に記載の方法。
【請求項１１】
前記非線形伝達関数を決定する段階は、前記基準耳介の前記複数の画像を合成して前記基準耳介の多次元画像を形成する段階を含む、請求項１０に記載の方法。
【請求項１２】
前記複数の向きに保持される前記モバイルデバイスによって、前記基準耳介の複数の画像を撮像する段階は、前記モバイルデバイスによって、頭の左耳および右耳を通過し、かつ、前記頭を真っ二つに分割する、平面における所与の画像を撮像する段階を含む、請求項７から１１のいずれか一項に記載の方法。
【請求項１３】
メモリに記憶され、かつ、プロセッサにより実行可能である、プログラムであって、前記プログラムは、
基準耳介の画像を撮像することと、
前記基準耳介の前記画像に基づいて、音が前記基準耳介においてどのように変換されるかの特徴を示す非線形伝達関数を決定することであって、前記非線形伝達関数を決定することは、前記基準耳介の前記画像と第１耳介の第１画像との間の一致の第１指標を決定することと、前記基準耳介の前記画像と第２耳介の第２画像との間の一致の第２指標を決定することであって、前記第１画像は第１頭部伝達関数（ＨＲＴＦ）と関連し、前記第２画像は第２ＨＲＴＦと関連し、および前記基準耳介、第１耳介、および第２耳介は、異なる個人に関連する、決定することと、一致の前記第１指標に基づいて前記第１ＨＲＴＦを重み付けることと、一致の前記第２指標に基づいて前記第２ＨＲＴＦを重み付けることと、重み付けられた前記第１ＨＲＴＦおよび重み付けられた前記第２ＨＲＴＦを合成して、音が前記基準耳介においてどのように変換されるかの特徴を示す前記非線形伝達関数を決定することとを有する、決定することと、
トランスデューサが、前記基準耳介を介した音の空間的位置特定を容易にするための１つまたは複数のオーディオキューを示す信号を出力することであって、前記１つまたは複数のオーディオキューは、前記非線形伝達関数に基づいている、出力することと
を行うためのものである、プログラム。
【請求項１４】
前記耳介の前記画像を撮像するための前記プログラムは、近接センサが、モバイルデバイスと前記基準耳介との間の距離を決定することと、前記モバイルデバイスが前記基準耳介から所与の直線距離にあることを前記近接センサが示すとき、前記モバイルデバイスの画像センサが、前記基準耳介の前記画像を撮像することとを含む、請求項１３に記載のプログラム。
【請求項１５】
前記基準耳介の前記画像を撮像するための前記プログラムは、イヤカップ内の画像センサが前記基準耳介の前記画像を撮像することを含む、請求項１３または１４に記載のプログラム。
【請求項１６】
前記基準耳介の前記画像を撮像するための前記プログラムは、モバイルデバイスを動かすとき、または、頭を動かすとき、前記モバイルデバイスが前記基準耳介の複数の画像を撮像するプログラムを含む、請求項１３から１５のいずれか一項に記載のプログラム。
【請求項１７】
前記基準耳介の前記複数の画像は、前記基準耳介の複数の外形を含む、請求項１６に記載のプログラム。
【請求項１８】
オーディオデバイスと、
メモリに記憶され、かつ、プロセッサにより実行可能である、コンピュータ命令と
を備えるシステムであって、前記コンピュータ命令は、
前記オーディオデバイスが基準耳介の画像を撮像する機能と、
前記基準耳介の前記画像に基づいて、音が前記基準耳介においてどのように変換されるかの特徴を示す非線形伝達関数を決定する機能であって、前記非線形伝達関数を決定する機能は、前記基準耳介の前記画像と第１耳介の第１画像との間の一致の第１指標を決定する機能と、前記基準耳介の前記画像と第２耳介の第２画像との間の一致の第２指標を決定する機能であって、前記第１画像は第１頭部伝達関数（ＨＲＴＦ）と関連し、前記第２画像は第２ＨＲＴＦと関連し、および前記基準耳介、第１耳介、および第２耳介は、異なる個人に関連する、機能と、一致の前記第１指標に基づいて前記第１ＨＲＴＦを重み付ける機能と、一致の前記第２指標に基づいて前記第２ＨＲＴＦを重み付ける機能と、重み付けられた前記第１ＨＲＴＦおよび重み付けられた前記第２ＨＲＴＦを合成して、音が前記基準耳介においてどのように変換されるかの特徴を示す前記非線形伝達関数を決定する機能とを有する、機能と、
前記オーディオデバイスのトランスデューサが、前記基準耳介を介した音の空間的位置特定を容易にするための１つまたは複数のオーディオキューを示す信号を出力する機能であって、前記１つまたは複数のオーディオキューは、前記非線形伝達関数に基づいている、出力する機能と
を実行するためのものである、システム。
【請求項１９】
基準耳介の画像を撮像する段階と、
前記基準耳介の前記画像に基づいて、音が前記基準耳介においてどのように変換されるかの特徴を示す非線形伝達関数を決定する段階であって、前記非線形伝達関数を決定する段階は、前記非線形伝達関数を出力するニューラルネットワークモデルに前記画像を入力する段階を有する、段階と、
トランスデューサが、前記基準耳介を介した音の空間的位置特定を容易にするための１つまたは複数のオーディオキューを示す信号を出力する段階であって、前記１つまたは複数のオーディオキューは、前記非線形伝達関数に基づいている、出力する段階と
を備える方法。
【請求項２０】
前記基準耳介の前記画像は第１の個人に関連し、前記ニューラルネットワークモデルは、複数のＨＲＴＦに適合し、および前記第１の個人とは異なる第２の個人に関連する耳介の画像に関連する、請求項１９に記載の方法。
【手続補正２】
【補正対象書類名】明細書
【補正対象項目名】発明の名称
【補正方法】変更
【補正の内容】
【発明の名称】耳介の画像を撮像し、耳介の画像を用いて人間の聴覚の解剖学的構造の特徴を示すためのシステム、プログラムおよび方法